(57)【要約】【課題】水上における桟橋構築においてダイバーの作業負担を軽減できる桟橋構築方法を提供する。【解決手段】本発明の桟橋構築方法では、導材１，２を介して杭材４を吊り降ろして仮打設し、次いで、仮打設した杭材４をいったん引き抜いて、前記導材でガイドしながら吊り上げる。そして杭材４を吊り上げる過程で、下部構造補強材の固定に用いる固定部材の取り付け予定位置を、該杭材にマーキングする。続いて、マーキングされた杭材４を、導材１，２でガイドしながら吊り降ろすとともに、吊り降ろす途中で、杭材のマーキング位置にリング状固定部材（補強材を固定するための部材）を取り付ける。そして、リング状固定部材が順次取り付けられた杭材４を、導材１，２を介して吊り降ろして、再び打設位置に建て込む。この方法により、補強材固定部材の取付位置をダイバーが水中で定める手間が省け、ダイバーの水中作業量が減り、作業効率が改善される。【選択図】図３Ｅ
2015014157.tif 000002
【特許請求の範囲】
【請求項１】
支持杭をなす杭材を打設して、隣り合う杭材を補強材で連結する桟橋構築方法において、前記補強材の固定に用いる固定部材の少なくとも一部を、杭材に取り付けて、該杭材を地中に設置する、ことを特徴とする桟橋構築方法。
【請求項２】
支持杭をなす杭材を打設して、隣り合う杭材を補強材で連結する桟橋構築方法において、前記補強材の固定に用いる固定部材の取り付け予定位置を、杭材にマーキングして、該杭材を地中に設置する、ことを特徴とする桟橋構築方法。
【請求項３】
支持杭をなす杭材を打設して、隣り合う杭材を補強材で連結する桟橋構築方法において、前記補強材の固定に用いる固定部材の少なくとも一部を、杭材の吊り上げ途中または吊り下げ途中で、該杭材に取り付ける、ことを特徴とする桟橋構築方法。
【請求項４】
支持杭をなす杭材を打設して、隣り合う杭材を補強材で連結する桟橋構築方法において、前記補強材の固定に用いる固定部材の取り付け予定位置を、杭材の吊り上げ途中または吊り下げ途中で、該杭材にマーキングする、ことを特徴とする桟橋構築方法。
【請求項５】
上下方向で離隔した複数の導材を介して杭材を吊り降ろし、該杭材の直進性を維持しながら地盤に打設する、ことを特徴とする請求項３又は４に記載の桟橋構築方法。
【請求項６】
桟橋の支持杭外周を囲繞するように取り付けられるリング状の固定部材。
【発明の詳細な説明】
【技術分野】
【０００１】
本発明は、桟橋を構築するための方法の技術に関するものであり、特に、ダム湖等の水上に桟橋を構築するための技術に関するものである。
【背景技術】
【０００２】
（桟橋施工の概要）
図６〜図９に基づいて、従来の桟橋施工について説明する。
図６は、従来の桟橋施工を示す斜視図であって、一支間長の桟橋パネルをクレーンで設計位置に運搬している様子を示している。
図７は、図６の後工程を示す斜視図であって、桟橋構築完了部分に対して延設した桟橋パネルをガイドに利用し、支持杭を地盤に打ち込んでいる様子を示している。
図８は、桟橋施工で用いる削孔装置を示している。
図９は、従来の桟橋施工において補強材等をダイバーによる水中作業で取り付けている様子を示している。
【０００３】
特許文献１に開示された桟橋施工では、はじめに図６に示すように、桟橋構築完了部分からなる足場上にクレーンを用意し、該クレーンで桟橋パネル７１を吊り込んで、延設地点（桟橋構築完了部分の先端位置）へ運搬する。続いて、運搬してきた桟橋パネル７１を、桟橋構築完了部分の先端側の既設桁（既設桟橋パネル）に対し連結して、図７に示すように、桟橋構築完了部分から水平方向に張り出すように取り付ける。
【０００４】
次に図７に示すように、橋脚を成す支持杭７３を、延設した桟橋パネル先端の杭ガイド１６に通して、打設予定位置の地盤上に建て込む。続いて、後述する削孔装置９０のドリルロッドを、建て込んだ支持杭７３に挿通させる。支持杭７３の先端からドリルロッドの先端ビットが突き出たら、該ドリルロッドで対象地盤を回転掘削しつつ同時に支持杭７３の打ち込みを行い、次いで、打設した支持杭７３の頭部を桟橋パネル先端の筒状の杭ガイド１６に固定する。
【０００５】
図示する例では、１つの桟橋パネルを延設する毎に３本の支持杭を打設して、これらの杭頭部をそれぞれ杭ガイド１６に固定する。上記工程を経て、１支間分（１桟橋パネル分）の桟橋構築作業が完了する。
【０００６】
上述した工程を繰り返して、桟橋パネルの延設と支持杭の打設とを繰り返すことにより設計長の桟橋を完成させる。
【０００７】
（削孔装置）
次に、図８に基づいて、上述した桟橋施工で用いる削孔装置について説明する。
【０００８】
図８に示す削孔装置９０は、主として、回転駆動装置９１と、該駆動装置の下部に固定された排土キャップ９２と、該排土キャップの内側を通って回転駆動装置９１に連結された長尺のドリルロッド９３とを有している。
【０００９】
回転駆動装置９１は、その下部のドリルロッド９３を回転駆動する。
ドリルロッド９３はダウンザホールハンマ９４を含んで構成されており、該ハンマは、打撃力発生用のピストンを内部に具備している。ドリルロッド９３の上端側は、略スリーブ状の排土キャップ９２の内側を通って、回転駆動装置９１に連結されている。一方、ドリルロッド９３の下端にはハンマービット９５が設けられている。
杭打ちの際には、図８に示すように支持杭７３の内空部にドリルロッド９３を挿通させ、支持杭７３の先端からハンマービット９５を突き出した状態・拡径させた状態で対象地盤を掘削する。
【００１０】
上記構成の削孔装置９０を用いて掘削を行う際には、ダウンザホールハンマ９４による連続的打撃を対象地盤に対し加えながら回転掘削を行う。掘削土は、ダウンザホールハンマ９４の駆動用エアを利用してエアリフト式に吹き上がる。吹き上げられた掘削土は、エアの流れに乗って支持杭内の排土経路を通り、支持杭７３の上端開口部から噴出する。
【００１１】
支持杭７３の上部から噴出した掘削土は、図８に矢印で示すように、支持杭７３の上部と排土キャップ９２との間の隙間を通って外部へ排出される。排土キャップ９２を介して排出された掘削土は、支持杭７３と飛散防止カバー９６の間の隙間を通って下方へ落下する。
【先行技術文献】
【特許文献】
【００１２】
【特許文献１】特許第３２１１６７３号公報
【発明の概要】
【発明が解決しようとする課題】
【００１３】
桟橋の構築にあたっては、一般的に図９に示すように、隣り合う支持杭７３，７３の間に、鉄骨などからなる補強材８１を架け渡すことで、高い安定性を確保している。このような補強材８１を支持杭間に取り付ける際には、該補強材を支持杭７３に固定するための固定部材８３が用いられる。
【００１４】
しかしながら、ダム湖等の水上に構築される一般的な桟橋では、図９に示すように、補強材８１や固定部材８３の多くが水中に取り付けられるため、その取付作業はダイバー８５が長時間にわたって水中に潜って行う必要があった。このようなダイバーによる水中作業は、水上での作業に比べると作業性が著しく悪いため、水中作業に多くの手間と時間を要していた。特に、水深が深くなるにつれて水圧が高くなって、ダイバーへの負担が増大するとともに、水中作業が危険なものとなっていた。
【００１５】
また、ダム湖等の湖沼は、水の濁度が高くて視界が悪いため、支持杭への固定部材の取付といった水中作業（水中でのボルト締め等）に多くの手間と時間がかかり、施工コストの高騰と工期の長期化を招いていたため、作業性の改善が強く求められていた。また、このように水の濁度が高くて視界が悪い状況のもとでは、寸法取りなどが困難なため、固定部材や補強材を、支持杭の所定位置に正確に取り付けることが困難であった。
【００１６】
そこで上述した従来技術の問題点に鑑み、この出願の発明の目的は、ダム湖等の水上に桟橋を構築する際におけるダイバーの作業負担を軽減することができ、施工現場の水質にかかわらず、補強材やその固定部材を支持杭の所定位置に正確に取り付けることが可能な桟橋構築方法を提供することにある。
【課題を解決するための手段】
【００１７】
上記目的は、支持杭をなす杭材を打設して、隣り合う杭材を補強材で連結する桟橋構築方法において、前記補強材の固定に用いる固定部材の少なくとも一部を、杭材に取り付けて、該杭材を地中に設置する（すなわち地中に建て込む又は打設する）、ことによって達成される。
【００１８】
また上記目的は、支持杭をなす杭材を打設して、隣り合う杭材を補強材で連結する桟橋構築方法において、前記補強材の固定に用いる固定部材の取り付け予定位置を、杭材にマーキングして、該杭材を地中に設置する（すなわち地中に建て込む又は打設する）、ことによって達成される。
【００１９】
また上記目的は、上部構造を支持するための杭材を打設して、隣り合う杭材を補強材で連結する桟橋構築方法において、前記補強材の固定に用いる固定部材の取り付け予定位置を、杭材の吊り上げ途中または吊り下げ途中で、該杭材にマーキングする、ことを特徴とする桟橋構築方法によって達成される。
【００２０】
また上記目的は、上部構造を支持するための杭材を打設して、隣り合う杭材を補強材で連結する桟橋構築方法において、前記補強材の固定に用いる固定部材の少なくとも一部を、杭材の吊り上げ途中または吊り下げ途中で、該杭材に取り付ける、ことを特徴とする桟橋構築方法によって達成される。
【００２１】
また上記目的は、桟橋構築完了部分に導材を設け、該導材で杭材をガイドしながら打設し、隣り合う杭材を補強材で連結する、桟橋構築方法であって、前記導材を介して杭材を吊り降ろして打設する工程と、前記導材を介して杭材を吊り降ろす途中または吊り上げる途中で、補強材の固定に用いる固定部材を、該杭材に取り付ける工程と、を含む桟橋構築方法によって達成される。
【００２２】
また上記目的は、桟橋構築完了部分に導材を設け、該導材で杭材をガイドしながら打設し、隣り合う杭材を補強材で連結する、桟橋構築方法であって、前記導材を介して杭材を吊り降ろして打設する工程と、打設した前記杭材を引き抜いて、前記導材でガイドしながら吊り上げる工程と、杭材を吊り上げる途中で、補強材の固定に用いる固定部材の取り付け予定位置を、前記杭材にマーキングする工程と、マーキングされた前記杭材を、前記導材でガイドしながら吊り降ろす工程と、杭材を吊り降ろす途中で、前記杭材のマーキング位置に前記固定部材を取り付ける工程と、前記固定部材が取り付けられた前記杭材を吊り降ろして、打設位置に建て込む工程と、を含む桟橋構築方法によって達成される。
【００２３】
上述した桟橋構築方法では、例えば、杭材に取り付ける前記固定部材は、一対の上固定部材および下固定部材で構成され、前記固定部材の取付工程で、上固定部材および下固定部材の少なくとも何れか一方を前記杭材に取り付けるようにする。
【００２４】
また上述した桟橋構築方法では、上下方向で離隔した複数の導材を介して杭材を吊り降ろし、該杭材の直進性を維持しながら地盤に打設することが好ましい。
【発明の効果】
【００２５】
本発明では、杭材を地盤に最終的に建て込む前（すなわち杭材の最終的な打設の前）に、該杭材に対して補強材固定部材の全部または一部を取り付けるようになっている。この固定部材の取り付けのタイミングは特に限定されず、いかなる場所で実施してもよい。例えば、桟橋構築完了部分に固定した足場に作業員を配置して、その場において取り付けるようにしてもよい。または、現場に横置きされた杭材（建て込み前の作業場の杭材）に対して、固定部材を取り付けるようにしてもよい。或いは、杭材を現場に搬入する前の機材センターや杭材製造現場などにて、杭材に固定部材を取り付けるようにしてもよい。
このように本発明では、杭材の地中への設置に先行して（或いはそれと同時並行で）、該杭材に対して固定部材を取り付けておくので、杭材打設後におけるダイバーの負担が大幅に軽減される。
【００２６】
また、杭材を地盤に最終的に建て込む前に、補強材固定部材の取り付け予定位置に、その目印となるマーキングを施すようになっている。このマーキングについても、実施のタイミングは特に限定されず、いかなる場所で実施してもよい。
このように本発明では、杭材の地中への設置に先行して（或いはそれと同時並行で）、該杭材に対してマーキングを施しておくので、その後の固定部材の取り付け作業をスピーディーに且つ正確に行うことが可能になる。
【００２７】
後述する一例としての実施形態では、杭材を仮打設した後、地盤からいったん引き抜くとともに、導材でガイドしながら吊り上げるようになっている。そして、このように杭材を吊り上げる途中で、補強材を固定するための固定部材の取り付け予定位置を、当該杭材にマーキングする。このマーキングは、ダイバーが水中で行うものではなく、足場に配置した作業員が気中（水面より上の大気中）で行う。マーキングの方法は特に限定されず、視覚的に分かる手段であれば、いかなる方法でも採用可能である（例えば着色用のスプレーなど）。
【００２８】
このような実施例により、補強材固定部材の取付位置をダイバーが水中で定める手間が省けるので、その分ダイバーの負担や水中作業量が減り、作業効率の改善を図ることができる。また、工期の短縮や施工コストの低減を図ることができる。
【００２９】
また後述する実施形態では、仮打設された杭材を上述したように引き抜いて吊り上げた後、当該杭材を打設方向に再び吊り降ろすようになっている。そして、このように吊り降ろす途中で、杭材のマーキング位置に補強材固定部材の全部または一部を取り付けるようになっている。これにより、水中で杭材に固定部材を取り付けるための作業量が減り、或いは、水中での固定部材の取り付けが不要となって、その分ダイバーの負担や水中作業量が減り、作業効率の改善を図ることができる。また、更なる工期の短縮・施工コストの低減を図ることができる。
【００３０】
また後述する実施形態では、杭材を目標深度まで打設してから、いったん引き抜くようにし、その吊り上げ過程又はその後の吊り下げ過程で、固定部材取付予定位置を杭材にマーキングしたり、固定部材を杭材に取り付けるようになっている。このように、固定部材の取り付けに先行して仮打設したりマーキングをすることで、補強材の取付予定位置を正確に定めることが可能になる。また、杭材を目標深度まで打設してから一旦引き抜くことで、水中ではなく気中（水面より上の大気中）において、杭材にマーキングしたり固定部材を取り付けることが可能になる。したがってこの実施例によれば、気中での作業にもかかわらず、杭材の所定位置に正確に補強材固定部材を取り付けることが可能になる。
【００３１】
また後述する実施形態では、上下方向で離隔した複数の導材を介して杭材を吊り降ろし、該杭材の直進性を維持しながら地盤に打設するようになっている。これにより、杭材の打設時においてその貫入抵抗の増大が可及的に回避され、また、打設される杭材の鉛直精度を簡単かつ確実に確保することができる。
【００３２】
また、上記のように複数の導材を介して杭材を上げ下げすることで、その間の杭材の姿勢が安定するので、マーキングや固定部材の取り付け作業を効率的に且つ安全に進めることができる。
【図面の簡単な説明】
【００３３】
【図１】桟橋構築作業で用いる杭材ガイド構造を示す正面図である。
【図２】図１の杭材ガイド構造が具備する第１の導材と第２の導材を示す平面図である。
【図３Ａ】桟橋構築方法の一工程（工程ａ）を例示する図である。
【図３Ｂ】桟橋構築方法の一工程（工程ｂ）を例示する図である。
【図３Ｃ】桟橋構築方法の一工程（工程ｃ）を例示する図である。
【図３Ｄ】桟橋構築方法の一工程（工程ｄ）を例示する図である。
【図３Ｅ】桟橋構築方法の一工程（工程ｅ）を例示する図である。
【図３Ｆ】桟橋構築方法の一工程（工程ｆ）を例示する図である。
【図３Ｇ】桟橋構築方法の一工程（工程ｇ）を例示する図である。
【図３Ｈ】桟橋構築方法の一工程（工程ｈ）を例示する図である。
【図３Ｉ】桟橋構築方法の一工程（工程ｉ）を例示する図である。
【図４】リング状固定部材による補強材の固定態様の一例を示す拡大図である。
【図５Ａ】桟橋構築方法の一工程（工程ａ）を例示する図である。
【図５Ｂ】桟橋構築方法の一工程（工程ｂ）を例示する図である。
【図５Ｃ】桟橋構築方法の一工程（工程ｃ）を例示する図である。
【図５Ｄ】桟橋構築方法の一工程（工程ｄ）を例示する図である。
【図５Ｅ】桟橋構築方法の一工程（工程ｅ）を例示する図である。
【図５Ｆ】桟橋構築方法の一工程（工程ｆ）を例示する図である。
【図６】従来の桟橋施工を示す斜視図であって、桟橋パネルをクレーンで設計位置に運搬している様子を示している。
【図７】図６の後工程を示す斜視図であって、延設した桟橋パネルの先端部をガイドに利用し、支持杭を打ち込んでいる様子を示している。
【図８】桟橋施工で用いる削孔装置を示す図である。
【図９】従来の桟橋施工においてダイバーの水中作業によりリング状固定部材や補強材を取り付けている様子を示す図である。
【発明を実施するための形態】
【００３４】
（杭材ガイド構造）
はじめに、図１及び図２に基づいて、後述する桟橋構築方法で利用する杭材ガイド構造について説明する。
図１は、杭材ガイド構造を示す正面図である。
図２(A)は、図１の杭材ガイド構造が具備する第１の導材を示す平面図である。
図２(B)は、図１の杭材ガイド構造が具備する第２の導材を示す平面図である。
【００３５】
図１に示す杭材ガイド構造は、桟橋構築の際に打設する杭材４を対象地盤方向へガイドするとともに、打設の間この杭材４（管状杭／支持杭）の直進性を維持するための構造である。この杭材ガイド構造は、主として、杭材ガイド手段をなす第１の導材１と、これとは別体の杭材ガイド手段をなす第２の導材２と、これらの導材１，２を相互連結する連結部材３，３を有している。以下、必要に応じて、第１の導材１は単に「導材１」と略称し、第２の導材２は単に「導材２」と略称する。
【００３６】
（第１の導材）
導材１は、杭材４を打設方向にガイドするとともに、導材２と協働して杭材４の直進性を維持する役割を担っている。この導材１は、図７に示す従来技術の桟橋パネルと同様に桟橋構築完了部分から張り出すように取り付けられる。この導材１を介して必要数の杭材（本実施形態の場合では一つの導材につき３本の杭材）を打設したら、当該導材１を桟橋構築完了部分から取り外すことなくそのまま上部構造の一部として（すなわち、桁材としての機能を具備する桟橋パネルとして）利用することが可能である。
【００３７】
この導材１は、図２(A)の平面図に示すように、主として、メインフレーム１４と、該メインフレームに連結された横桁１５とから構成されている。メインフレーム１４は、主桁・横桁としての機能を具備するフレーム状部材である。
【００３８】
メインフレーム１４は、既設の桟橋パネルに対し連結される連結部材１３を複数有している。横桁１５は、打設時に杭材を地盤へガイドする筒状の杭ガイド１６（杭頭固定管）と、次段のメインフレームに対して連結される連結部材１７を有している。筒状の杭ガイド１６は、杭材を挿通させるための挿通孔１９を有している。
【００３９】
（第２の導材）
導材２は、杭材４を打設方向にガイドするとともに、上記導材１と協働して杭材４の直進性を維持する役割を担っている。この導材２は、図１に示すように連結部材３を介して導材１に連結される。この導材２は、必要数の杭材（本実施形態の場合では３本の杭材）の打設が完了したら撤去できるように、導材１に対して連結され固定されている。
【００４０】
この導材２は、図２(B)の平面図に示すように、杭材４を挟んで向かい合うように配される２本の定規本体２１，２１（足場）と、打設される杭材４を定規本体２１，２１間の所定位置に位置決めする位置決め部材２３とを有している。一対の位置決め部材２３，２３は、図２(B)に示すように、略井桁状になるように定規本体２１，２１に固設されている。
【００４１】
（連結部材）
連結部材３は、図１に示すように、導材２を導材１に対して連結する役割を担っている。この連結により、導材１に対する導材２の相対姿勢や位置が固定されるので、導材１，２を通って打設される杭材４の直進性が維持される。
【００４２】
この連結部材３は、撓み難いように柱状の鋼材で構成されている。またこの連結部材３は、導材１，２を任意の離隔で固定できるように構成されている。例えば本実施形態の場合では、連結部材３には、導材１に対して連結させるための連結金具３１が設けられている。この連結金具３１は、段階的に固定位置を変更できるように設けられている。一方、連結部材３の下端側では導材２が固設されている。
【００４３】
また、この連結部材３は、図１に示すように梯子としても機能するように構成されている。このように連結部材３に梯子機能を持たせることで、導材１，２との間を作業員が連結部材を伝って昇り降りできるようになり、後述するマーキング作業やリング状固定部材の取り付け作業などを効率的に進めることが可能になる。
【００４４】
（桟橋構築方法）
次に、図３Ａ〜図３Ｆを参照しながら、上述した杭材ガイド構造を利用した桟橋構築方法について説明する。なお、以下説明する工程ａ〜ｉは、それぞれ図３Ａ〜図３Ｉに対応している。
【００４５】
１．工程ａ／第１の導材を片持ち状に延設する工程（図３Ａ）
図３Ａに示す桟橋構築完了部分は、主として、上部構造とそれを支える下部構造とで構成されている。桟橋構築完了部分は、完成予定の桟橋全体の一部分の構造物であるが、構築済みの当該部分（図示する構造物部分）だけであっても、上部構造と下部構造を具備する構台として機能する。したがって、桟橋構築完了部分は機械足場として利用可能であり、各種施工用機材や重機をその上に搬入することが可能である。
【００４６】
この工程では、図３Ａに示すように桟橋構築完了部分（機械足場）にクレーンを用意し、これを使って、導材１を、該桟橋構築完了部分の前方または側方（すなわち桟橋架設方向／桟橋拡張方向）に吊り下ろす。この導材１は、前述したとおり、杭材の打設時には杭ガイドとして機能し、杭材の打設完了後には、上部構造の一部（桁材としての機能を具備する桟橋パネル）として利用できる。
【００４７】
次に、桟橋構築完了部分の前方に用意した導材１を、該桟橋構築完了部分の既設桟橋パネル１’に連結する。この既設桟橋パネル１’は、既打設の杭材４’の打設時に第１の導材として機能していた部材であって、図示する状態では上部構造の一部として機能している。桟橋パネル１’と導材１は、同様の構成を有している。
【００４８】
この既設桟橋パネル１’の端に導材１を連結して、桟橋構築完了部分から水平方向に張り出すように、該導材１を片持ち状に延設する。続いて、片持ち状に延設した導材１を、「杭材ガイド手段」兼「作業足場」として利用できるように、該導材１を、桟橋構築完了部分側に立設された反力ポール５１に対してワイヤで連結する（図３Ｂ参照）。これにより、導材１とその上に載せる作業機材などの荷重を、桟橋構築完了部分側に預けることができる。
【００４９】
このように取り付けられた導材１は、杭材打設が完了するまでは、杭材をガイドするとともにその直進性を維持するための部材として機能する。一方、必要本数（当該第１の導材を使って打設する本数）の杭材の打設が完了したら、杭材ガイド手段としての役割を終えるが、撤去することなく現状の取付位置で、上部構造の一部（主桁・横桁としての機能を具備する桟橋パネル）として機能する。
【００５０】
２．工程ｂ／第１の導材の下方に第２の導材を取り付ける工程（図３Ｂ）
次に、延設した導材１の横桁１５の下方に、導材２を吊り下ろし、図３Ｂに示すように連結部材３にて導材１，２を相互連結し、導材２を導材１に対して固定する。また、導材１に対する導材２の相対姿勢や相対位置が更に安定するように、桟橋構築完了部分の下部構造と導材２の間に、鋼材などからなる堅牢な連結部材６を架設する。
【００５１】
この状態を桟橋構築完了部分の正面側から見たときの様子を図１に示す。図１に示す状態で、導材２は、導材１に対してその位置や姿勢が固定されており、該導材１と協動して杭材４（導材１，２を介して打設される杭材４）の直進性を維持することが可能である。また、導材２を導材１に連結することで、作業員は、梯子として機能する連結部材３を伝って、導材１，２間で昇り降りすることができる。さらに、導材１，２は、図１に示すように、それぞれ足場としても利用できるように構成されているので、後述する杭材へのマーキングやリング状固定部材の取り付けなどを円滑に進めることができる。
【００５２】
３．工程ｃ／第１及び第２の導材でガイドしながら杭材を仮打設する工程（図３Ｃ）
上述した作業を経て、導材１，２の取り付けと連結が完了したら、下部構造の一部として利用可能な杭材４を、導材１，２に通して地盤上に建込む。そして、図３Ｃに示すように削孔装置９０を使って、杭材を目標深度まで打設（仮打設）する。削孔装置９０の構成やこれを用いた打設原理は、図８を引用して説明した従来技術と同様である。打設する杭材４の具体例としては、例えば鋼管杭（管状杭）などが挙げられる。この杭材は、上部構造を支持する支持杭として機能する。
【００５３】
なお、この打設工程では、打設する杭材４が、離隔した２点（打設方向で離隔して固設された導材１，２）によってガイドされ続けるので、打設中の杭材４の直進性は維持される。
【００５４】
４．工程ｄ／杭材を地盤から引抜いて吊り上げる途中でマーキングする工程（図３Ｄ）
上記工程ｃで所定深度まで仮打設したら、次いで当該杭材の引き抜きを行う。
なお図３Ｄに示す状態において、杭材の下端開口部からは、削孔装置９０のドリルロッド下端にあるハンマービット９５が拡径状態で突き出ている。したがって、クレーンで削孔装置９０を吊り上げると、当該ハンマービット９５によって下支えされた状態で杭材４が地盤から引き抜かれる。すなわち、削孔装置９０を吊り上げると、杭材４の下端に拡径状態のハンマービット９５が引っかかるので、杭材４が削孔装置９０と一体となって地盤から引き抜かれる。
【００５５】
この引き抜き工程の際には、図３Ｄに示すように、足場としても機能する導材２に作業員を配置する。この作業員は、杭材４を引抜く過程で、リング状固定部材取付予定位置にマーキングを行う（図３Ｄ左下参照）。
「リング状固定部材」とは、杭材補強部材をなす補強材を、杭材に固定するための固定部材である。このリング状固定部材は、杭材の所定位置（補強材の連結位置）に所定ピッチで取り付けられる。また図４に示すように、杭材の外周を囲繞するように取り付けられる。
「補強材」とは、打設された杭材間に架け渡して下部構造を補強するための部材であって、一般的には水平材と斜材から構成される。なお、本実施形態では、水平材と斜材から構成される補強材を用いているが、水平材・斜材のいずれか一方で補強材を構成する態様も採用可能である。
【００５６】
図３Ｄの左下にリング状固定部材の一例を示す。図示するとおり、固定部材をなすリング状固定部材７は、上固定部材８（リング状上部材）と下固定部材９（リング状下部材）を具備し、これらの各部材はボルト締結によって杭材に固定される。杭材補強部材をなす補強材は、杭材と一体化するように取り付けられたリング状固定部材７（上固定部材８と下固定部材９）によって、杭材に対して固定される。
【００５７】
足場（本実施形態の場合では導材２）に配置された作業員は、杭材４が引き抜かれる過程で杭材表面の所定位置にマーキングする。所定位置とは、リング状固定部材の取り付け予定位置（補強材の固定位置）である。例えば、図３Ｄに示すように引き抜きによって杭材が４ｍ上昇するたびに、杭材４に対してマーキングを行い、これをリング状固定部材取付下端位置まで必要回数繰り返す。
【００５８】
作業員が配置された導材２は、図３Ｄに示すように気中にあるので（すなわち水面より上の大気中にあるので）、リング状固定部材取付位置のマーキングが容易である。また、マーキング対象の杭材側が上下に移動するので、杭材の複数箇所にマーキングするにあたって作業員は移動する必要がない。しかも、先行して杭材を仮打設したので、リング状固定部材取付位置を正確に定めることができる。
【００５９】
なお、本実施形態では、導材２に作業員を配置してマーキングしているが、導材１に作業員を配置してマーキングを行うようにしてもよい。また、マーキングの方法は特に限定されず、例えばスプレーにより該当位置を着色することなどが挙げられる。
【００６０】
５．工程ｅ／リング状固定部材を取り付ける工程（図３Ｅ）
上記工程でマーキングをリング状固定部材取付下端位置まで行ったら、再び、杭材４を打設方向に導材１，２を介して吊り降ろす。このときも、杭材４の下端は、削孔装置９０のハンマービット９５によって下支えされているので、杭材４は削孔装置９０と一体となって降下する。
【００６１】
この吊り降ろし過程では、導材２にいる作業員が、図３Ｅの左下に示すように、杭材４に下固定部材９（リング状固定部材の一部）を取り付ける。杭材表面の下固定部材取付予定位置には、前工程でマーキングが施されているので、下固定部材９の取り付けは速やかに且つ正確に位置決めして行うことができる。この下固定部材９の取り付けを、杭材４を吊り降ろす過程ですべてのマーキング位置に対して行う。
【００６２】
なお、本実施形態では、導材２に作業員を配置してリング状固定部材を取り付けているが、導材１，２を介しての杭材４の吊下ろしに支障がなければ、導材１に作業員を配置してリング状固定部材を取り付けてもよい。
【００６３】
６．工程ｆ／杭材を建て込む工程（図３Ｆ）
上記工程でリング状固定部材の下固定部材を所定のマーキング位置に取り付けたら、そのまま杭材４を吊り降ろして、杭材引き抜き前と同レベルまでの建て込みを行う。このとき、堆積土砂等が建込みの障害となる場合は、削孔装置９０によるブローを主とした削孔を行って、所定深度まで建込みをする。
【００６４】
７．工程ｇ／建て込んだ杭材から削孔装置を引抜く工程（図３Ｇ）
上記工程で所定深度まで杭材４を建て込んだら、この杭材から削孔装置９０を引抜く。
【００６５】
８．工程ｈ／ビット厚分の最終の杭頭押さえを行う工程（図３Ｈ）
次に、削孔装置９０の下端にあるハンマービット９５を、図３Ｈに示すように杭材４の頭部に押し当て、打撃にてビット厚分の最終の杭頭押さえ（杭頭打撃）を行う。
【００６６】
６．工程ｉ／補強材、覆工板等を取り付ける工程（図３Ｉ）
上記工程を経て杭材４の打設が完了したら、根固めモルタルを打設するとともに、杭頭処理を行う。以後は、隣り合う杭材４，４’を、斜材及び水平材からなる補強材で連結し、該連結部位に上固定部材（図３Ｅ参照）を取り付けて、該補強材を杭材に確りと固定する。
【００６７】
続いて、リング状固定部材による補強材の固定態様の一例を図４に示す。
図４に示すように、気中にて先付した下固定部材９と、ダイバーが水中にて後付けした上固定部材８のそれぞれに対して、水平材４１をボルトで固定する。これにより、水平材４１は、杭材４と一体となったリング状固定部材７に対して確りと固定される。さらに、リング状固定部材７に対して固定された水平材４１に対し、斜材４２，４２をボルトで固定する。これにより、斜材４２，４２も杭材に対して確りと固定される。
よって、隣り合う杭材間に架設された補強材（水平材４１，斜材４２）は、リング状固定部材を介して杭材と一体化するので、隣り合う杭材を確りと補強する。
【００６８】
なお、図４に示す補強材の取り付け態様は一例であって、リング状固定部材による補強材の固定の仕方をこれに限定する趣旨ではない。例えば、図４に示す例では、リング状固定部材７に対して水平材４１を直接的に固定し、水平材４２を間接的にリング状固定部材７に対して固定しているが、水平材４１と斜材４２のそれぞれをリング状固定部材に対してボルト等で直接的に固定する態様も採用可能である。
【００６９】
（この桟橋構築方法で達成される格別の効果）
上述したような桟橋構築方法により、リング状固定部材取付位置をダイバーが水中で定める手間が省けるとともに、リング状固定部材取り付けのための水中作業量が大幅に減るので、その分ダイバーの負担や水中作業量が減り、作業効率の改善を図ることができる。また、工期の短縮や施工コストの低減を図ることができる。
【００７０】
また、上下方向で離隔した導材１，２を介して杭材を吊り降ろし、該杭材の直進性を維持しながら地盤に打設するようになっている。これにより、杭材の打設時においてその貫入抵抗の増大が可及的に回避され、また、打設される杭材の鉛直精度を簡単かつ確実に確保することができる。
【００７１】
（他の実施形態）
上述した実施形態は、本発明の実施形態の一例であって、特許請求の範囲に記載の本発明には様々な実施形態が含まれる。例えば、以下に述べるような実施形態も本発明の技術的範囲に含まれる。
【００７２】
上述した実施形態では、仮打設した杭材をいったん引抜いて吊り上げる途中で、杭材表面にマーキングを施し、続いて、吊り降ろす途中で、リング状固定部材を杭材に取り付けるようにしていたが、マーキングやリング状固定部材取り付けのタイミングは必ずしもこれに限定されない。すなわち、マーキングやリング状固定部材取り付けは、杭材の吊り上げ・吊り下げ、いずれのタイミングで行ってもよい。その際、導材１および導材２の両方に作業員を配置して、一方に配置した作業員がマーキングを実施し、他方に配置した作業員がリング状固定部材を取り付けるようにしてもよい。
【００７３】
また上述した実施形態では、杭材にマーキングを施した上で、当該マーキング位置にリング状固定部材を取り付けているが、マーキング工程を省いてリング状固定部材を直接に杭材に取り付けるようにしてもよい。
【００７４】
また上述した実施形態では、リング状固定部材の一部（下固定部材）を気中にて杭材に先行取付しているが、水中での補強材の取り付け作業の妨げにならなければ、上固定部材及び下固定部材の双方を気中で杭材に取り付けるようにしてもよい。
【００７５】
また上述した実施形態では、リング状固定部材を杭材に取り付ける前に、該杭材を仮打設して固定部材の取付位置を決定しているが、杭材の打設深度が予め定まっている場合（例えば硬質地盤への打設などの場合）には、図５Ａ〜５Ｆの工程に示すように、仮打設を省略して気中にてリング状固定部材を杭材に取り付けてから、該杭材を地盤に打設することも可能である。これにより、杭材を打設してからいったん引く抜く必要が無くなるので、桟橋の構築作業を効率的に進めることができる。
【００７６】
また上述した実施形態では、導材に作業員を配置して、杭材を吊り降ろす過程でリング状固定部材を杭材に取り付けているが、該固定部材の取り付けタイミングはこれに限定されるものではない。例えば、図示するように桟橋構築完了部分に固定した足場に作業員を配置して、その場において取り付けるようにしてもよい。または、現場に横置きされた杭材（作業場の杭材）に対して、固定部材を取り付けるようにしてもよい。或いは、杭材を現場に搬入する前の機材センターや杭材製造現場などにて、杭材に固定部材を取り付けて、その状態で杭材を現場に搬入するようにしてもよい。リング状固定部材の取付予定位置に対するマーキングについても同様である。
【００７７】
また本発明でいう「桟橋」とは、上部構造と下部構造からなる構造物を広く含む趣旨であり、例えば、作業構台、人工地盤、橋梁などの構造物も含まれる。したがって、これらの構造物の構築方法は本発明の技術的範囲に含まれることに留意されたい。
【符号の説明】
【００７８】
１      第１の導材（桟橋パネル／杭材ガイド手段）
１’    既設の桟橋パネル（使用済みの第１の導材）
２      第２の導材
３      連結部材
３’    連結部材
４      杭材
４’    既打設の杭材
６      連結部材
７      リング状固定部材（補強材を固定するための部材）
８      上固定部材（上部材）
９      下固定部材（下部材）
１３    連結部材
１４    メインフレーム
１５    横桁
１６    杭ガイド
１７    連結部材
１９    挿通孔
２１    定規本体
２３    位置決め部材
３１    連結金具
４１    水平材
４２    斜材
５１    反力ポール
７１    桟橋パネル
７３    支持杭
８１    補強材（下部構造を補強するための部材）
８３    固定部材（補強材を固定するための部材）
９０    削孔装置
９１    回転駆動装置
９２    排土キャップ
９３    ドリルロッド
９４    ダウンザホールハンマ
９５    ハンマービット
９６    飛散防止カバー
【図１】
2015014157.tif 000003
【図２】
2015014157.tif 000004
【図３Ａ】
2015014157.tif 000005
【図３Ｂ】
2015014157.tif 000006
【図３Ｃ】
2015014157.tif 000007
【図３Ｄ】
2015014157.tif 000008
【図３Ｅ】
2015014157.tif 000009
【図３Ｆ】
2015014157.tif 000010
【図３Ｇ】
2015014157.tif 000011
【図３Ｈ】
2015014157.tif 000012
【図３Ｉ】
2015014157.tif 000013
【図４】
2015014157.tif 000014
【図５Ａ】
2015014157.tif 000015
【図５Ｂ】
2015014157.tif 000016
【図５Ｃ】
2015014157.tif 000017
【図５Ｄ】
2015014157.tif 000018
【図５Ｅ】
2015014157.tif 000019
【図５Ｆ】
2015014157.tif 000020
【図６】
2015014157.tif 000021
【図７】
2015014157.tif 000022
【図８】
2015014157.tif 000023
【図９】
2015014157.tif 000024